(57)【要約】【課題】衣服や物品に付着した除菌ガス成分が残存するおそれが少なく、しかも、多数の人が効率よく使用できるエアシャワ−装置を提供する。【解決手段】区画室１０は、入口ドア１０ｃと出口ドア１０ｄとを備えているとともに、入口ドア１０ｃから出口ドア１０ｄの方向に順に形成された、エアカーテンが形成された入口エアカーテン領域２と、除菌ガスと共に加圧空気が送出される除菌ガス送出領域３と、除菌ガスが送出されることなく外気が送出される空気送出領域としてのダウンフロー領域４と、及び出口仕切り室５とを備えている。【選択図】図１
2014066467.tif 000002
【特許請求の範囲】
【請求項１】
外部と区画されて入口ドアと出口ドアとを備えた区画室に、除菌機能を有する除菌ガスが送出されるエアシャワ−装置であって、
前記区画室は、前記除菌ガスが送出される除菌ガス送出領域と、前記除菌ガスが送出されることなく空気が送出される空気送出領域とを備え、
前記空気送出領域は、前記入口ドアから出口ドアに向かう方向における前記除菌ガス送出領域と前記出口ドアとの間の領域に形成されていることを特徴とするエアシャワ−装置。
【請求項２】
前記区画室は、前記入口ドアから出口ドアに向かう方向における前記入口ドアと前記除菌ガス送出領域との間の領域に、エアカーテンが形成される入口エアカーテン領域を、更に備えていることを特徴とする請求項１記載のエアシャワ−装置。
【請求項３】
前記区画室は、前記入口ドアから出口ドアに向かう方向における前記空気送出領域と前記出口ドアとの間の領域に、このエアシャワ−装置が設置される制限領域の出入り箇所と隣接するように配置される出口仕切室を、更に備え、
前記出口仕切室は、その室圧が前記制限領域の室圧よりも低くなるように制御され、
前記空気送出領域は、その室圧が前記出口仕切室の室圧よりも低くなるように制御されていることを特徴とする請求項１又は２記載のエアシャワ−装置。
【請求項４】
前記出口仕切室は、前記空気送出領域と当該出口仕切室とを仕切る仕切りドアを備え、
前記入口ドアと仕切りドアとは、それらのいずれか一方が閉まっている場合に他方が開くように制御されていることを特徴とする請求項１〜３のいずれか一項に記載のエアシャワ−装置。
【請求項５】
このエアシャワ−装置が設置される制限領域の出入り箇所に入る際に通る入路と、前記制限領域の出入り箇所から出る際に通る退路とを備え、
前記区画室は、前記入路に配設され、
前記退路は、エアカーテンが形成される退路用エアカーテン室を備えていることを特徴とする請求項１〜４のいずれか一項に記載のエアシャワ−装置。
【請求項６】
前記入路は、前記入口ドアから出口ドアに向かう方向における中間部で屈曲部が形成されて平面視で略Ｌ字状を呈し、
前記退路は、平面視において、前記入路の略Ｌ字状の内側になるように配設されていることを特徴とする請求項５記載のエアシャワ−装置。
【発明の詳細な説明】
【技術分野】
【０００１】
本発明は、クリーンルーム等のコンタミネーションコントロールが行なわれている制限領域の出入り箇所、或いは微生物類や花粉等の持ち込みを制限する制限領域の出入り箇所等に好適に設置されるエアシャワ−装置に関する。
【背景技術】
【０００２】
従来から、例えばクリーンルーム等のコンタミネーションコントロール（清浄度管理）の行なわれている制限領域の出入り箇所に設置されるエアシャワ−装置が知られており、例えば特許文献１にエアシャワ−装置が開示されている。
【０００３】
この特許文献１に開示のエアシャワ−装置は、入口ドアと出口ドアの間に形成される閉鎖空間である区画室であって、壁面又は天部、壁面及び天部から浮遊微粒子類除去に有効な加圧空気を発生させるための加圧空気流形成手段並びに通過者の着衣または通過物品類から放出された塵埃類を含む排気流を回収するための排気吸引手段と、該排気吸引手段からの排出空気を浄化して前記加圧空気流形成手段に循環させる際に通過させる高機能（ＨＥＰＡ）フィルタと加圧空気送り用ブロアとを具備するエアシャワー装置において、前記区画室内に存在する浮遊微生物類を殺菌するための除菌ガスである二酸化塩素ガス（ＣｌＯ２）を、区画室に加圧空気を送る際に共に区画室に送り込めるようにしたものである。
【先行技術文献】
【特許文献】
【０００４】
【特許文献１】特開２００７−１６３１０８号公報
【発明の概要】
【発明が解決しようとする課題】
【０００５】
しかしながら、上記特許文献１に開示のエアシャワー装置は、除菌ガスを区画室の全領域に送出するため、除菌ガス成分が区画室から出てきた人の衣服や髪等に付着して残存するおそれがある。
【０００６】
又、その場合に、区画室に除菌ガスを送出した後、除菌ガスの送出を止めてその除菌ガスを送出した区画室の全領域に空気を送出することにより、衣服や髪に付着した除菌ガス成分を吹き払うことも考えられる。しかし、その場合は、除菌ガスを送出した後に、更に空気を送出することになり、その場に人等が長時間、留まることが必要になる。その結果、例えば多数の人がエアシャワー装置を順次使用するような場合には、区画室の入口付近で滞ってしまい、効率よく使用し難い。
【０００７】
本発明は、衣服や物品に付着した除菌ガス成分が残存するおそれが少なく、しかも、多数の人が効率よく使用できるエアシャワ−装置の提供を目的とする。
【課題を解決するための手段】
【０００８】
本発明のエアシャワ−装置は、外部と区画されて入口ドアと出口ドアとを備えた区画室に、除菌機能を有する除菌ガスが送出されるエアシャワ−装置であって、前記区画室は、前記除菌ガスが送出される除菌ガス送出領域と、前記除菌ガスが送出されることなく空気が送出される空気送出領域とを備え、前記空気送出領域は、前記入口ドアから出口ドアに向かう方向における前記除菌ガス送出領域と前記出口ドアとの間の領域に形成されていることを特徴とする。
【０００９】
この構成によれば、除菌ガスが送出されることなく空気が送出される空気送出領域で衣服や髪等に付着した除菌ガス成分が空気によって吹き払って除去できる。
【００１０】
又、その際、空気送出領域が、入口ドアから出口ドアに向かう方向における除菌ガス送出領域と前記出口ドアとの間の領域に形成されているため、例えば人が入口ドアから出口ドアに向かって歩いていけばよく、これにより、除菌ガス送出領域において除菌ガスを受け、その後、空気送出領域において衣服や紙髪等に付着した除菌ガス成分が空気によって除去できる。従って、多数の人が順次に立ち止まることなく区画室を通過でき、効率よく使用できる。
【００１１】
他の一態様では、前記エアシャワ−装置において、前記区画室は、前記入口ドアから出口ドアに向かう方向における前記入口ドアと前記除菌ガス送出領域との間の領域に、エアカーテンが形成される入口エアカーテン領域を、更に備えていることを特徴とする。
【００１２】
この構成によれば、エアカーテンを形成した入口エアカーテン領域によって、除菌ガス送出領域に、菌或いは花粉等が侵入するおそれの少ないものにできる。
【００１３】
他の一態様では、前述のいずれかのエアシャワ−装置において、前記区画室は、前記入口ドアから出口ドアに向かう方向における前記空気送出領域と前記出口ドアとの間の領域に、このエアシャワ−装置が設置される制限領域の出入り箇所に隣接するように配置される出口仕切室を、更に備え、前記出口仕切室は、その室圧が前記制限領域の室圧よりも低くなるように制御され、前記空気送出領域は、その室圧が前記出口仕切室の室圧よりも低くなるように制御されていることを特徴とする。
【００１４】
この構成によれば、出口仕切室の室圧が制限領域の室圧より低くなるように制御されているため、出口仕切室内の空気が制限領域に流れ込むおそれの少ないものにできる。これにより、例えば出口仕切室内に菌や除菌ガス成分が残存する場合でも、確実に、菌や除菌ガス成分が制限領域に入り込むおそれの少ないものにできる。
【００１５】
又、空気送出領域の室圧が出口仕切室の室圧よりも低くなるように制御されているため、空気送出領域の空気が出口仕切室に流れ込むおそれの少ないものにできる。これにより、例えば空気送出領域に菌や除菌ガス成分が残存する場合でも、菌や除菌ガス成分が出口仕切室に入り込むおそれの少ないものにできる。従って、区画室から制限領域に菌や除菌ガス成分が流れ込むおそれの少ないものにできる。
【００１６】
他の一態様では、前述のいずれかのエアシャワ−装置において、前記出口仕切室は、前記空気送出領域と当該出口仕切室とを仕切る仕切りドアを備え、前記入口ドアと仕切りドアとは、それらのいずれか一方が閉まっている場合に他方が開くように制御されていることを特徴とする。
【００１７】
この構成によれば、入口ドアと出口ドアとのいずれか一方が閉まっている場合に他方が開くように制御されているため、例えば区画室内の空気が入口ドアから出口ドアの方向に流れるおそれの少ないものにでき、区画室内の菌や花粉、或いは除菌ガスの臭いが出口ドアからクリーンルーム等の制限領域に入り込むおそれの少ないものにできる。
【００１８】
他の一態様では、前述のいずれかのエアシャワ−装置において、このエアシャワ−装置が設置される制限領域の出入り箇所に入る際に通る入路と、前記制限領域の出入り箇所から出る際に通る退路とを備え、前記区画室は、前記入路に配設され、前記退路は、エアカーテンが形成される退路用エアカーテン室を備えていることを特徴とする。
【００１９】
この構成によれば、退路は、エアカーテンが形成される退路用エアカーテン室を備えているため、退路用エアカーテン室に形成されたエアカーテンによって制限領域の出入り箇所と外部とを常時仕切ることができる。これにより、人が制限領域の出入り箇所から出る際にも、外部から菌や花粉が制限領域に入り込むことおそれの少ないものにできる。
【００２０】
他の一態様では、前記のエアシャワ−装置において、前記入路は、前記入口ドアから出口ドアに向かう方向における中間部で屈曲部が形成されて平面視で略Ｌ字状を呈し、前記退路は、平面視において、前記入路の略Ｌ字状の内側になるように配設されていることを特徴とする。
【００２１】
この構成によれば、退路は、平面視において、入路の略Ｌ字状の内側になるように配設されているため、エアシャワー装置全体を小型化でき、設置面積の小さいものにできる。
【発明の効果】
【００２２】
本発明のエアシャワ−装置は、衣服や髪等に付着した除菌ガス成分が残存するおそれが少なく、しかも、多数の人が効率よく使用できる。
【図面の簡単な説明】
【００２３】
【図１】本発明の一実施形態のエアシャワ−装置の天部を省略した概略の平面図である。
【図２】図１の区画室の概略の側面図である。
【図３】図２のＩＶ−ＩＶ線断面図である。
【図４】図２のＶ−Ｖ線断面図である。
【図５】エアシャワ−装置のエアカーテン領域連通部の拡大した説明図である。
【図６】エアカーテン領域連通部の気流整流部の分解斜視図である。
【図７】制御部の構成を説明するためのブロック図である。
【図８】靴底洗浄装置と給水マットの断面図である。
【図９】エアシャワ−装置の入路の動作を示すフローチャートの一部である。
【図１０】エアシャワ−装置の入路の動作を示すフローチャートの他の一部である。
【図１１】エアシャワ−装置の入路の動作を示すフローチャートの更に他の一部である。
【図１２】エアシャワ−装置の退路の動作を示すフローチャートの一部である。
【図１３】エアシャワ−装置の退路の動作を示すフローチャートの他の一部である。
【図１４】エアシャワ−装置の他の実施形態の天部を省略した概略の平面図である。
【発明を実施するための形態】
【００２４】
以下、本発明を実施するための形態について、図面を参照しながら詳細に説明する。図１は、本発明の一実施形態のエアシャワ−装置の天部を省略した概略の平面図、図２は、図１の区画室の概略の側面図、図３は、図２のＩＶ−ＩＶ線に沿う概略の断面図、図４は、図２のＶ−Ｖ線に沿う概略の断面図である。
【００２５】
この実施形態のエアシャワ−装置１は、図１に示すように入路１ａと、退路１ｂと、制御部７とを備えている。入路１ａは、このエアシャワ−装置１が設置される図示しないクリーンルーム等の制限領域の出入り箇所に入る際に通る路であり、この入路１ａは、区画室１０を備えている。
【００２６】
区画室１０は、図１、図２に示すように後側壁１０ａ、前側壁１０ｂ、左側壁１１ａ及び右側壁１１ｂと、天部１２と、床部１３とを備え、これらによって外部と区画されている。後側壁１０ａには、区画室１０に入る入口ドア１０ｃが設けられている。又、前側壁１０ｂには、区画室１０から出る出口ドア１０ｄが設けられている。
【００２７】
区画室１０の天部１２は、この実施形態では、図２、図３に示すように外天井１２ａと、外天井１２ａの下方側に距離を隔てて配設された内天井１２ｂとを備えている。
【００２８】
区画室１０の床部１３は、底壁１３ｂと、底壁１３ｂの上方側に距離を隔てて配設されたグレーティング部１３ａを備え、グレーティング部１３ａを介して塵埃や浮遊物類を通せるようになっている。
【００２９】
又、区画室１０は、この実施形態では、入口ドア１０ｃから出口ドア１０ｄに向かう方向（図１のＸ方向）に沿って順に形成された入口エアカーテン領域２、除菌ガス送出領域３、ダウンフロー領域（空気送出領域）４、及び出口仕切室５を備えている。
【００３０】
入口エアカーテン領域２は、除菌ガス送出領域３に微生物類や花粉等が入り込まないようにする領域である。この実施形態では、入口エアカーテン領域２は、入口ドア１０ｃから出口ドア１０ｄに向かう方向の長さが６０ｃｍ程度に形成されている。
【００３１】
この実施形態の入口エアカーテン領域２は、エアシャワ−装置１に設けられた入口エアカーテン形成機構部によって常時エアカーテンが形成されるようになっている。
【００３２】
入口エアカーテン形成機構部は、図３に示すように入口エアカーテン領域２における内天井１２ｂの上に設置されたエアカーテン用空気送出装置としてのエアカーテン用空気送出ブロア２１と、入口エアカーテン領域２における内天井１２ｂに形成されたエアカーテン領域連通部２２と、エア循環路２３とを備えている。
【００３３】
エアカーテン領域連通部２２は、図５に示すように、区画室１０の入口エアカーテン領域２と内天井１２ｂの上方とを連通するように、区画室１０の内天井１２ｂに穿設されたエアカーテン領域連通孔２２ａと、エアカーテン領域連通孔２２ａの上方に付設された第１ＨＥＡＰフィルタ５１ａと、エアカーテン領域連通孔２２ａの下方に付設された気流整流部２２ｂとを備えている。
【００３４】
第１ＨＥＡＰフィルタ５１ａは、塵埃や花粉等の浮遊物類を通さないように構成されており、この第１ＨＥＡＰフィルタ５１ａで塵埃や花粉等の浮遊物類を回収できるようになっている。
【００３５】
気流整流部２２ｂは、気流の整流性（均一性および直進性）を向上させるためのもので、この実施形態では、３つの多孔板１３１〜１３３、すなわち、第１多孔板１３１と、第２流路における第１多孔板１３１の下流側に配される第２多孔板１３２と、第２流路における第２多孔板１３２の下流側に配される第３多孔板１３３とを有している。
【００３６】
３つの多孔板１３１〜１３３は、エアカーテン領域連通孔２２ａから流れてくる空気の流れ（以下、「気流」）に対して略直交する面に沿って拡がるような姿勢で互いに平行に、かつ、当該多孔板１３１〜１３３の配設方向に互いに所定の間隔を空けて設けられている。
【００３７】
この多孔板同士の間隔は、気流整流部２２ｂの厚みに寄与するものであるので、装置の薄型化という観点からは、できる限り小さい値であることが好ましい。しかし、一方で、当該間隔が狭過ぎると、多孔板に挟まれた空間を空気が横方向（多孔板の拡がる方向）に移動し難くなり、その結果、気流の均一性が低下することになる。従って、多孔板同士の間隔は、例えば５５ｍｍ〜１５５ｍｍ程度に設定されるのが好ましい。
【００３８】
各多孔板１３１〜１３３は、それぞれ、複数の通気用貫通孔１３１ａ〜１３３ａを有している。これら複数の通気用貫通孔１３１ａ（１３２ａ，１３３ａ）は、多孔板１３１（１３２、１３３）の全面に亘って所定ピッチで配列するようにして設けられており、互いに同一形状に形成されている。
【００３９】
以下、図６を参照して、この実施形態の気流整流部２２ｂの詳細な構成について、さらに説明する。
【００４０】
気流整流部２２ｂは、図６に示すように、直方体の箱形状のケーシング１２１と、枠体１２２と、図略の押えプレートと、上述した３つの多孔板１３１〜１３３とで構成されている。
【００４１】
ケーシング１２１の気流の上流側を向く面（図６では上面）には上流側開口１２１ａが形成されており、ケーシング１２１の気流の下流側を向く面（図６では下面）には下流側開口１２１ｂが形成されている。また、ケーシング１２１の側面の上流側開口１２１ａ寄りの部分には、上記枠体１２２を挿入するための挿入用開口１２１ｃが設けられている。
【００４２】
また、ケーシング１２１の互いに対向する内側面には、挿入用開口１２１ｃから挿入された枠体１２２を当該ケーシング１２１内で支持するための一対のレール１２１ｄ（図６では一方のレールのみを図示している。）が設けられている。
【００４３】
枠体１２２は、断面コの字状に形成されている。この枠体１２２の気流の上流側を向く面（図６では上面）には上流側開口１２２ａが形成されており、枠体１２２の気流の下流側を向く面（図３では下面）には下流側開口１２２ｂが形成されている。
【００４４】
多孔板１３１〜１３３には、それぞれ、当該多孔板１３１〜１３３を囲む補強枠１２３〜１２５が取り付けられている。
【００４５】
第１多孔板１３１は、補強枠１２３が枠体１２２の上流側開口１２２ａを有する上面にビス等によって固定されることによって枠体１２２の上面に取り付けられる。また、第２多孔板１３２は、補強枠１２４が枠体１２２の下流側開口１２２ｂを有する下面にビス等によって固定されることによって枠体１２２の下面に取り付けられる。
【００４６】
そして、枠体１２２が挿入用開口１２１ｃからケーシング１２１内に挿入されることにより、ケーシング１２１の内部空間の上部および中央部に多孔板１３１，１３２がそれぞれセットされる。なお、第１多孔板１３１は、ケーシング１２１の上流側開口１２１ａを通して外部に表出している。
【００４７】
また、第３多孔板１３３は、補強枠１２５がケーシング１２１の下流側開口１２１ｂを有する下面にビス等によって固定されることによってケーシング１２１の下面に取り付けられる。
【００４８】
また、図略の押えプレートは、挿入用開口１２１ｃを塞ぐようにケーシング１２１の側面に取り付けられるものであり、枠体１２２がケーシング１２１から抜け落ちるのを防ぐために設けられている。
【００４９】
なお、補強枠１２３〜１２５を省略して、多孔板１３１〜１３３を単体でケーシング１２１あるいは枠体１２２に取り付けることもできる。
【００５０】
また、ケーシング１２１や枠体１２２の厚み方向の寸法（図５では上下方向の寸法）を変えることで、多孔板１３１〜１３３同士の間隔を調整することが可能である。
【００５１】
このように構成された気流整流部２２ｂを、多孔板１３１〜１３３がエアカーテン領域連通孔２２ａから流れてくる気流（以下、この気流の流れる方向を「気流方向」と呼ぶ。）に対して略直交するような姿勢で気流方向の下流側に設けることで、エアカーテン領域連通孔２２ａから流れてくる気流が３つの多孔板１３１〜１３３の各通気用貫通孔１３１ａ〜１３３ａを順に通過し、これによって当該気流が整流される。
【００５２】
次に、エアカーテン形成機構部のエア循環路２３について説明する。エア循環路２３は、図３に示すように、入口エアカーテン領域２におけるグレーティング部１３ａの下方側から、左側壁１１ａの内側に形成された内路２３ａを通って内天井１２ｂの上方側に延されるようにして形成されている。
【００５３】
エアカーテン用空気送出ブロア２１は、エア循環路２３に設置されている。そして、このエアカーテン用空気送出ブロア２１によって、空気は、エアカーテン領域連通部２２から入口エアカーテン領域２を通ってグレーティング部１３ａに向かって送出され、更に、グレーティング部１３ａからエア循環路２３を回って、エアカーテン領域連通部２２に循環される。
【００５４】
この実施形態では、エアカーテン用空気送出ブロア２１は、風速２ｍ／秒程度の速さで入口エアカーテン領域２に空気を送出するように設定されている。
【００５５】
尚、エアカーテン用空気送出ブロア２１は、例えばターボファン、軸流ファン、ＦＦＵ（ファンフィルタユニット）のフィルタを省略したもの、あるいは、シロッコファン等でもよく、適宜変更できる。
【００５６】
次に、除菌ガス送出領域３について説明する。除菌ガス送出領域３は、図１、図２に示すように除菌ガスが送出される領域である。この実施形態では、除菌ガス送出領域３は、
入口ドア１０ｃから出口ドア１０ｄに向かう方向の長さが３００ｃｍ程度に形成されている。
【００５７】
又、この実施形態では、除菌ガス送出領域３は、エアシャワ−装置１に設けられた除菌ガス送出機構部によって除菌ガスが送出されるとともに、それに加えて、エアシャワ−装置１に設けられた加圧空気送出機構部によって加圧空気（エアシャワー）が送出される。以下に、加圧空気送出機構部及び除菌ガス送出機構部について順次説明する。
【００５８】
加圧空気送出機構部は、図４に示すように、第１流路３ａ、３ｂと、第１流路３ａ、３ｂに設置された加圧空気送り込み装置としての加圧空気送り用ブロア３３とを備えている。
【００５９】
この第１流路は、この実施形態では、区画室１０の除菌ガス送出領域３における左側壁１１ａの内側に配設された左第１流路３ａと、区画室１０の除菌ガス送出領域３における右側壁１１ｂの内側に配設された右第１流路３ｂとの２つを備えている。これらの左右の第１流路３ａ、３ｂは、ほぼ左右対称に配設され、ほぼ同一構成を採っている。従って、以下に、左第１流路３ａについてのみ説明し、右第１流路３ｂの説明を省略する。
【００６０】
左第１流路３ａは、第２ＨＥＡＰフィルタ５１ｂを備え、塵埃や浮遊物類を、この第２ＨＥＡＰフィルタ５１で回収できるようになっている。この第２ＨＥＡＰフィルタ５１ｂは、上述のエアカーテン形成機構部の第１フィルタ５１ａと同構成のものである。
【００６１】
又、左第１流路３ａは、その一端側に、加圧空気（エアシャワー）を形成する複数の噴出ノズル３２を備えている。これらの噴出ノズル３２は、左側壁１１ａの内側に設けられた内側壁３０に、加圧空気を区画室１０の除菌ガス送出領域３に噴出可能に取り付けられており、これらの噴出ノズル３２を介して左第１流路３ａと区画室１０の除菌ガス送出領域３とが連通されている。
【００６２】
また、左第１流路３ａは、その他端側に、加圧空気送り用ブロア３３が設置されており、この加圧空気送り用ブロア３３によってエアが左第１流路３ａを通って区画室１０の除菌ガス送出領域３内に送り込まれるようになっている。この実施形態では、加圧空気送り用ブロア３３によって噴出ノズル３２から加圧空気が２０ｍ／秒〜３０ｍ／秒の速さで区画室１０の除菌ガス送出領域３内に送出されるようになっている。
【００６３】
また、この実施形態では、加圧空気送り用ブロア３３の側方における内側壁３０には、吸引用孔３０ａが設けられている。そして、加圧空気送り用ブロア３３は、区画室１０内のエアを吸引用孔３０ａから吸引してエアを左第１流路３ａに沿って第２ＨＥＡＰフィルタ５１ｂ側に送り、その第２ＨＥＡＰフィルタ５１ｂを通して噴出ノズル３２から区画室１０の除菌ガス送出領域３内に送出させる。
【００６４】
なお、この加圧空気送り込み装置も、加圧空気送り用ブロア３３から構成されるものに限らず、例えばターボファン、軸流ファン、ＦＦＵ（ファンフィルタユニット）のフィルタを省略したもの、あるいは、シロッコファン等でもよく、適宜変更できる。
【００６５】
除菌ガス送出機構部は、第２流路３ｃと、除菌ガス発生装置としての二酸化塩素ガス発生装置８と、除菌ガス送出領域３における内天井１２ｂに形成された除菌ガス送出領域連通部３５とを備えている。
【００６６】
この第２流路３ｃは、この実施形態では、除菌ガスを空気と共に流して区画室１０の除菌ガス送出領域３内に送り込むようになっており、図４に示すように、区画室１０の除菌ガス送出領域３における内天井１２ｂの上方側に形成されたガス送り路３ｄと、区画室１０の除菌ガス送出領域３におけるグレーティング部１３ａの下方側から、左第１流路３ａと左側壁１１ａとの間の部分に形成された循環路３ｅとを備えている。
【００６７】
ガス送り路３ｄは、その上流側となる一端側に、ガス送り込み装置としてのガス送り用ブロア３４を備えている。この実施形態では、ガス送り用ブロア３４によって、区画室１０の除菌ガス送出領域３に除菌ガスを空気と共に送り込むようになっている。
【００６８】
この実施形態では、除菌ガスは、ガス送り用ブロア３４によって０．５ｍ／秒程度で除菌ガス送出領域３に送出されるようになっている。
【００６９】
なお、このガス送り込み装置も、ブロア３４から構成されるものに限らず、例えばターボファン、軸流ファン、ＦＦＵ（ファンフィルタユニット）のフィルタを省略したもの、あるいは、シロッコファン等でもよく、適宜変更できる。
【００７０】
循環路３ｅは、その下流側となる一端側がガス送り路３ｄに連通され、その上流側となる他端側が区画室１０の除菌ガス送出領域３におけるグレーティング部１３ａに連通されており、グレーティング部１３ａから区画室１０の下方側に出た除菌ガスを再度ガス送り路３ｄに流して循環させることができるように構成されている。
【００７１】
また、このように構成された第２流路３ｃに、二酸化塩素ガス発生装置８が連結されており、第２流路３ｃに二酸化塩素ガス発生装置８から発生した二酸化塩素ガスを流すことができるようになっている。
【００７２】
この二酸化塩素ガス発生装置８から発生する二酸化塩素ガスは、除菌ガスとしてのもので、二酸化塩素分子による特異な酸化作用によって各種のバクテリア、細菌、カビ等の微生物類を殺菌、消毒、脱臭等を果たす機能を有する。この実施形態では、二酸化塩素ガス発生装置８として、市販されているリスパス（商品名；大幸薬品株式会社製）が用いられている。
【００７３】
尚、除菌ガスは、二酸化塩素ガスから構成される形態のものに限らず、バクテリア、細菌、カビ等を分解除去し、または殺菌等し得るものであればよく、例えばオゾンガス、あるいは、正イオンと負イオンとからなるイオン等でもよい。従って、除菌ガス発生装置として、例えばオゾンガスを発生するオゾンガス発生装置、または正イオンと負イオンとを発生させるイオン発生装置等を用いることができる。
【００７４】
除菌ガス送出領域連通部３５は、図２、図５に示すように、区画室１０の除菌ガス送出領域３と内天井１２ｂの上方とを連通するように、区画室１０の内天井１２ｂに穿設された除菌ガス送出領域連通孔３５ａと、除菌ガス送出領域連通孔３５ａの上方に付設された第３ＨＥＡＰフィルタ５１ｃと、除菌ガス送出領域連通孔３５ａの下方に付設された気流整流部３５ｂとを備えている。これらの除菌ガス送出領域連通孔３５ａ、第３ＨＥＡＰフィルタ５１ｃ、及び気流整流部３５ｂは、エアカーテン領域連通部２２におけるエアカーテン領域連通孔２２ａ、第１ＨＥＡＰフィルタ５１ａ、及び気流整流部２２ｂのそれぞれと同構成を採っている。
【００７５】
次に、区画室１０のダウンフロー領域４について説明する。このダウンフロー領域４は、除菌ガスを送ることなく空気を送出する領域であり、送出される空気によって衣服等に付着した除菌ガスの成分や除菌ガスの臭い等を除去する。
【００７６】
この実施形態では、ダウンフロー領域４は、前後方向の長さが３００ｃｍ程度に形成されている。そして、このダウンフロー領域４は、エアシャワ−装置１に設けられたダウンフロー形成機構部によって、ダウンフロー領域４に空気が送出される。
【００７７】
ダウンフロー形成機構部は、図２に示すように、空気導入路４０と、ダウンフロー領域連通部４１と、空気送り込み装置としてのダウンフロー用ブロア４２と、空気排出路４３とを備えている。
【００７８】
空気導入路４０は、その一端側が区画室１０の外に配設され、その他端側が区画室１０のダウンフロー領域４における内天井１２ｂの上方位置に配設されている。空気導入路４０は、その中間部に、空気流量調整可能な第１外気導入用ダンパー４３ａを備えている。
【００７９】
ダウンフロー領域連通部４１は、区画室１０のダウンフロー領域４と内天井１２ｂの上方とを連通するように、区画室１０の内天井１２ｂに穿設されたダウンフロー領域連通孔４１ａと、ダウンフロー領域連通孔４１ａの上方に付設された第４ＨＥＡＰフィルタ５１ｄと、ダウンフロー領域連通孔４１ａの下方に付設された気流整流部４１ｂとを備えている。これらのダウンフロー領域連通孔４１ａ、第４ＨＥＡＰフィルタ５１ｄ、及び気流整流部４１ｂは、エアカーテン領域連通部２２におけるエアカーテン領域連通孔２２ａ、第１ＨＥＡＰフィルタ５１ａ、及び気流整流部２２ｂのそれぞれと同構成を採っている。
【００８０】
ダウンフロー用ブロア４２は、区画室１０の外部に設置されて空気導入路４０の一端側に連結されており、外気をダウンフロー領域連通部４１から区画室１０のダウンフロー領域４におけるグレーティング部１３ａに向かって送出することにより、外気を区画室１０のダウンフロー領域４に上から下に送出する。この実施形態では、外気をダウンフロー領域４に、０．５ｍ／秒〜１．０ｍ／秒程度の速度で送出するようになっている。
【００８１】
又、この実施形態では、ダウンフロー用ブロア４２は、全熱交換機７８を介して外気を供給するようになっており、全熱交換機７８によって外気を適宜な温度にコントロールしつつ供給できるようになっている。
【００８２】
空気排出路４３は、区画室１０のダウンフロー領域４におけるグレーティング部１３ａの下方側から区画室１０の外部に導出されている。又、空気排出路４３は、空気流量調整可能な第１外気排出用ダンパー４３ｂを備えている。
【００８３】
次に、出口仕切室５について説明する。この出口仕切室５は、ダウンフロー領域４とこの出口仕切室５とを仕切った仕切りドア５０を備えている。この実施形態では、出口仕切室５は、仕切りドア５０と出口ドア１０ｄとの距離が６０ｃｍ程度になるように形成されている。
【００８４】
又、この実施形態の出口仕切室５は、エアシャワ−装置１に設けられた出口エアカーテン形成機構部によって、出口仕切室５内にエアカーテンが形成されるようになっている。
【００８５】
出口エアカーテン形成機構部は、出口仕切室５における内天井１２ｂの上に設置された室エアカーテン用空気送出装置としての出口エアカーテン用ブロア５１と、その内天井１２ｂに形成された出口仕切室連通部５２と、エア循環路５５とを備えている。
【００８６】
出口仕切室連通部５２は、上述のエアカーテン領域連通部２２と同構成を採っている。詳しくは、出口仕切室５と内天井１２ｂの上方とを連通するように、内天井１２ｂに穿設された出口仕切室連通孔５２ａと、出口仕切室連通孔５２ａの上方に付設された第５ＨＥＡＰフィルタ５１ｅと、出口仕切室連通孔５２ａの下方に付設された気流整流部５２ｂとを備えている。これらの第５ＨＥＡＰフィルタ５１ｅ及び気流整流部５２ｂは、上述のエアカーテン領域連通部２２の第１ＨＥＡＰフィルタ５１ａ、気流整流部２２ｂのそれぞれと同構成を採るものである。
【００８７】
エア循環路５５は、図示しないが、上述の入口エアカーテン領域２に形成されたエア循環路２３と同様に、出口仕切室５におけるグレーティング部１３ａの下方側から、左側壁１１ａの内側に形成された内路を通って内天井１２ｂの上方側に延されるようにして形成されている。
【００８８】
出口エアカーテン用ブロア５１は、エア循環路５５に設置されている。そして、この出口エアカーテン用ブロア５１によって、空気は、出口仕切室連通部５２からグレーティング部１３ａに向かって送出され、更に、グレーティング部１３ａからエア循環路５５を回って出口仕切室連通部５２に循環される。
【００８９】
この実施形態では、出口エアカーテン用ブロア５１は、風速２ｍ／秒程度の速さで出口仕切室５に空気を送出するように設定されている。
【００９０】
尚、この出口エアカーテン用ブロア５１についても、例えばターボファン、軸流ファン、ＦＦＵ（ファンフィルタユニット）のフィルタを省略したもの、あるいは、シロッコファン等でもよく、適宜変更できる。
【００９１】
又、この実施形態の出口仕切室５は、エアシャワ−装置１に設けられた外気送出機構部によって、出口仕切室５に外気が送出される。
【００９２】
外気送出機構部は、外気導入路５３と、外気送り込み装置と、外気排出路５４とを備えている。外気導入路５３は、その下流側となる一端側が区画室１０の外に配設されている。この実施形態では、外気導入路５３は、上述のダウンフロー形成機構部の空気導入路４０と合流されている。
【００９３】
又、外気導入路５３の上流側となる他端側は、出口仕切室５における内天井１２ｂの上方位置に配設されている。又、外気導入路５３は、その中間部に、空気流量調整可能な第２外気導入用ダンパー５３ａを備えている。
【００９４】
外気送り込み装置は、外気導入路５３の一端側に連結されている。この実施形態では、上述のダウンフロー用ブロア４２が外気送り込み装置を兼ねている。
【００９５】
外気排出路５４は、出口仕切室５におけるグレーティング部１３ａの下方側から外部に導出されている。この実施形態では、外気排出路５４は、上述のダウンフロー形成機構部の空気排出路４３と合流されている。
【００９６】
又、外気排出路５４は、その中間部に、空気流量調整可能な第２外気排気用ダンパー５４ａを備えている。
【００９７】
次に、退路１ｂについて説明する。退路１ｂは、制限領域の出入り箇所から退室する際に通る路である。この実施形態の退路１ｂは、入路１ａと略平行に直線状に配設されており、左右の側壁１０１ａ、１０１ｂと、退路入ドア１１ｅと、退路出ドア１１ｆとを備え、これらによって略密閉空間とされている。なお、この実施形態では、入路１ａの右側壁１１ｂが退路１ｂの右側壁１０１ｂを兼ねている。
【００９８】
又、退路１ｂは、退路用仕切りドア１０２を備え、退路用仕切りドア１０２によって、退路出ドア１１ｆ側の退路用エアカーテン室１０３と、退路入ドア１１ｅ側の退路室１０４とに仕切られている。
【００９９】
この退路用エアカーテン室１０３は、退路用エアカーテン形成機構部によって、エアカーテンが形成されるようになっている。この退路用エアカーテン形成機構部は、入路１ａの区画室１０の入口エアカーテン領域２にエアカーテンを形成するエアカーテン形成機構部と略同構成を採っている。
【０１００】
詳しくは、図３を参照して説明すると、退路用エアカーテン形成機構部は、退路用エアカーテン室１０３における内天井１１２ｂの上に設置された退路エアカーテン用空気送出ブロア３２１と、内天井３１２ｂに形成されたエアカーテン領域連通部３２２と、エア循環路３２３とを備えている。
【０１０１】
次に、制御部７について説明する。この実施形態の制御部７は、エアシャワー装置１に設けられたガス濃度検出センサ７４ａ及び第１〜第１０検出センサ９１〜９９ａ並びに出口仕切室圧検出センサ７６ａ、７６ｂ、ダンパーの夫々と通信可能に接続されているとともに、二酸化塩素ガス発生装置８と通信可能に接続されている。
【０１０２】
そして、この実施形態の制御部７は、図７に示すように、ドア制御部７０と、ガス送り込み制御部７１と、加圧空気送り込み制御部７２と、ダウンフロー制御部７３と、出口仕切室制御部７４と、ガス濃度制御部７５と、室圧制御部７６とを備えている。
【０１０３】
ドア制御部７０は、エアシャワ−装置１に設けられた第１検出センサ９１〜第１０検出センサ９９ａが人または物品を検出すると、その検出情報をそれらから受信し、その受信した情報に基づいて、各ドア５０を開閉制御する。
【０１０４】
ガス送り込み装置制御部７１は、二酸化塩素ガス発生装置８及びガス送り用ブロア３４を作動開始及び作動停止させるよう制御する。
【０１０５】
加圧空気送り込み装置制御部７２は、加圧空気送り用ブロア３３を作動開始、作動停止するよう制御する。
【０１０６】
ダウンフロー制御部７３は、第１外気導入用ダンパー４３ａ及び第１外気排出用ダンパー４３ｂを開閉するよう制御する。
【０１０７】
出口仕切室制御部７４は、出口エアカーテン用ブロア５１を作動停止させて第２外気導入用ダンパー５３ａ及び第２排気用ダンパー５４ａを開放するよう制御する。また、第２外気導入用ダンパー５３ａ及び第２排気用ダンパー５４ａを閉めて出口エアカーテン用ブロア５１を作動開始させるよう制御する。
【０１０８】
ガス濃度制御部７５は、ガス濃度検出センサ７４ａが検出した区画室１０における除菌ガス送出領域３のガス濃度情報に基づいて区画室１０のガス濃度を制御する。
【０１０９】
この実施形態では、除菌ガス送出領域３のガス濃度が０．０６ｐｐｍよりも低くなると、二酸化塩素ガス発生装置８を、二酸化塩素ガスの量を通常よりも多く流すように制御する。また、ガス濃度が０．３ｐｐｍを超えると二酸化塩素ガス発生装置８の作動を停止するよう制御するとともに、区画室１０の除菌ガス送出領域３に配設された第３外気導入用ダンパー３６及び第３排気用ダンパー３７に開信号を送信して開放させるように制御する。
【０１１０】
又、この実施形態では、図示しない緊急ボタンが押圧操作された場合も、ガス濃度制御部７５は、第３外気導入用ダンパー３６及び第３排気用ダンパー３７に開信号を送信して開放させるように制御する。
【０１１１】
室圧制御部７６は、出口仕切室５の室圧を、このエアシャワ−装置１が設置される制限領域の室圧よりも低くなるように制御する。又、室圧制御部７６は、ダウンフロー領域４の室圧を、出口仕切室５の室圧よりも低くなるように制御する。
【０１１２】
この実施形態では、制限領域の室圧は２０Ｐａ（パスカル）程度に設定され、出口仕切室５の室圧は１０〜１５Ｐａ（パスカル）に設定され、又、ダウンフロー領域４の室圧は、５〜１０Ｐａ（パスカル）に設定される（制限領域の室圧＞出口仕切室５の室圧＞ダウンフロー領域４の室圧≧区画室の外部）。
【０１１３】
より詳しくは、室圧制御部７６は、出口仕切室５に設けられた出口仕切室圧検出センサ７６ａが検出した出口仕切室の室圧情報をその出口仕切室圧検出センサ７６ａから受信し、その受信した室圧情報と予め設定された設定室圧範囲（この実施形態は、１０〜１５Ｐａ）とに基いて、出口仕切室圧情報が設定室圧範囲内にないとの判定をした場合に、出口仕切室５における右側壁１１ｂに設けられた微差圧調整ダンパー７７によって設定室圧範囲に調整される。
【０１１４】
又、室圧制御部７６は、ダウンフロー領域４に設けられたダウンフロー領域室圧検出センサ７６ｂが検出したダウンフロー領域４の室圧情報をそのダウンフロー領域室圧検出センサ７６ｂから受信し、その受信した室圧情報と予め設定された設定室圧範囲（この実施形態は、５〜１０Ｐａ）とに基いて、ダウンフロー領域４の室圧情報が設定室圧範囲内にないとの判定をした場合に、第１外気排出用ダンパー４３ｂに空気流量調整を行わせて設定室圧範囲に調整させる。
【０１１５】
又、この実施形態におけるエアシャワ−装置１は、図１に示すように区画室１０の入口ドア１０ｃの外側に、靴底洗浄装置１１０が付設されているとともに、その靴底洗浄装置１１０と入口ドア１０ｃとの間に、吸水マット１１１が付設されている。
【０１１６】
この実施形態における靴底洗浄装置１１０は、図８に示すように薬液を貯留した薬液層１１０ａと、薬液層１１０ａの上面に設置された格子状の歩行部１１０ｂと、歩行部１１０ｂに配設された複数の回転ローラ１１０ｃとを備えている。
【０１１７】
これらの回転ローラ１１０ｃは、ベルト１１０ｄと連動可能に連結されており、ベルト１１０ｄがモータ１１０ｅの駆動力によって駆動すると、それに伴って回転ローラ１１０ｃがそれぞれ回転するようになっている。そして、その回転に際し、歩行部１１０ｂを歩行している歩行者の靴底を薬液で洗浄する。
【０１１８】
吸水マット１１１は、歩行部１１０ｂで靴底に付着した薬液を吸水し得るように構成されている。
【０１１９】
以上のように構成されたエアシャワ−装置１は、例えばクリーンルーム等のコンタミネーションコントロールが行なわれている制限領域の出入り箇所、或いは微生物類や花粉等の持ち込みを制限する制限領域の出入り箇所に、出口ドア１０ｄ及び退路入ドア１１ｅを隣接させるようにして設置されて使用される。
【０１２０】
次に、このエアシャワ−装置１の動作について説明する。まず、エアシャワ−装置１が設置された制限領域の出入り箇所に入る場合から説明する。尚、エアシャワ−装置１は、このエアシャワ−装置１に設けられた作動スイッチの作動によって、入口エアカーテン領域２のエアカーテン用空気送出ブロア２１、出口仕切り室５の出口エアカーテン用ブロア５１及び退路用エアカーテン室１０３の退路エアカーテン用空気送出ブロア１２１が作動し、入口エアカーテン領域２、出口仕切り室５及び退路用エアカーテン室１０３の夫々にエアカーテンが形成された状態になっている。
【０１２１】
人或いは物品（以下、人）が制限領域に入る場合は、靴底洗浄装置１１０の歩行部１１０ｂを歩いて吸水マット１１１にいく。歩行部１１０ｂを歩く際、靴底が薬液で洗浄され、靴底に付着した菌等が落とされる。又、吸水マット１１１で、薬液が落とされる。
【０１２２】
そして、人が吸水マット１１１上までくると、制御部７は、人が入口ドア１０ｃの近くにきたとの判定を入口ドア１０ｃの外側に設置された第１検出センサ９１の検出に基づいて行う（図９、ステップＳ１）。尚、ステップＳ１において、制御部７は、人が入口ドア１０ｃの近くにきていないとの判定をした場合は、近くに来るのを待つ。
【０１２３】
そして、制御部７は、人が入口ドア１０ｃの近くにきたとの判定を行った場合、入口ドア１０ｃを開けるとともに、二酸化塩素ガス発生装置８を作動させ、ガス送り用ブロア３４を作動開始させて区画室１０の除菌ガス送出領域３に除菌ガスを空気と共に送り入れる（図９、ステップＳ２）。
【０１２４】
又、その入口ドア１０ｃを開ける際は、仕切りドア５０が閉まっていることを条件にして入口ドア１０ｃを開ける。これにより、例えば入口ドア１０ｃと仕切りドア５０とが同時に開放した場合のように入口ドア１０ｃ側から出口ドア１０ｄに空気が流れて区画室１０内の菌や花粉或いは区画室外の菌や花粉が出口ドア１０ｄ側に流れるようなことを防止できる。
【０１２５】
又、入口ドア１０ｃが開いても、入口エアカーテン領域２でエアカーテンガが成されているため、除菌ガス送出領域３に区画室外の菌や花粉が入ることを抑えることができる。
【０１２６】
そして、人が入口エアカーテン領域２にくると、制御部７は、人が入口エアカーテン領域２にきたとの判定を入口エアカーテン領域２に設置された第２検出センサ９２の検出に基づいて行う（図９、ステップＳ３）。尚、ステップＳ３において、制御部７は、人が入口エアカーテン領域２にきていないとの判定をした場合は、来るのを待つ。
【０１２７】
又、制御部７は、人が入口エアカーテン領域２にきたとの判定を行った場合、入口ドア１０ｃを閉めさせる（図９、ステップＳ４）。
【０１２８】
更に、人が除菌ガス送出領域３に入ると、制御部７は、人が除菌ガス送出領域３にきたとの判定を除菌ガス送出領域３に設置された第３検出センサ９２ａの検出に基づいて行う（図９、ステップＳ５ａ）。尚、ステップＳ５ａにおいて、制御部７は、人が除菌ガス送出領域３にきていないとの判定をした場合は、来るのを待つ。
【０１２９】
そして、制御部７は、人が除菌ガス送出領域３にきたとの判定を行った場合、加圧空気送り用ブロア３３に作動開始信号を送信して作動開始させる（図９、ステップＳ５ｂ）。
【０１３０】
これにより、噴出ノズル３２から除菌ガス送出領域３に送り込まれた加圧空気によって、除菌ガス送出領域３の人の衣服や物品に付着した塵埃や微生物類、更には花粉を衣服や物品から吹き飛ばしてその一部を下方の吸引用孔３０ａから第１流路３ａ、３ｂに入れ、第２ＨＥＡＰフィルタ５１ｂに付着させることができる。なお、第１流路３ａ、３ｂに入らない塵埃や微生物類は、グレーティング部１３ａから循環路３ｅに入り、ガス送り用ブロア３４の作動によって循環路３ｅからガス送り路３ｄに入って第３ＨＥＡＰフィルタ５１ｃに付着する。
【０１３１】
又、除菌ガス送出領域３では、除菌ガスが０．３ｍ／秒〜０．５ｍ／秒程度の送り速度で内天井１２ｂから下方側に送出されているため、除菌ガス送出領域３の人の衣服や物品に上記加圧空気でも未だ付着している微生物類にかけることができ、微生物類を死滅等させることができる。又、上記加圧空気で衣服や物品から吹き飛ばして浮遊している微生物類にかけて死滅等させてグレーティング部１３ａに落とすことができる。
【０１３２】
また、気流整流部２２ｂに除菌ガスを通して送り込むため、除菌ガスを十分に整流しながら除菌ガス送出領域３に送り入れることができ、除菌ガス送出領域３の全体に万遍なく除菌ガスを送り入れることができる。従って、除菌ガス送出領域３の微生物類を、より一層、効率よく死滅等させることができる。
【０１３３】
死滅等させた塵埃や微生物類の一部あるいは花粉は、グレーティング部１３ａから循環路３ｅに入れ、循環路３ｅからガス送り路３ｄに入れて第３ＨＥＡＰフィルタ５１ｃに付着させることができる。
【０１３４】
又、制御部７は、加圧空気送り用ブロア３３に作動開始信号を送信してから設定時間経過後、加圧空気送り用ブロア３３を作動停止させるとともに、二酸化塩素ガス発生装置８を作動停止させ、ガス送り用ブロア３４を作動停止させる（図９、ステップＳ５ｃ）。
【０１３５】
そして、人がダウンフロー領域４まで歩いてくると、制御部７は、人がダウンフロー領域４にきたとの判定を、ダウンフロー領域４に設置された第４検出センサ９３の検出に基づいて行う（図１０、ステップＳ６）。尚、ステップＳ６において、制御部７は、人がダウンフロー領域４にきていないとの判定をした場合は、来るのを待つ。
【０１３６】
そして、制御部７は、人がダウンフロー領域４にきたとの判定を行った場合、第１外気導入用ダンパー４３ａ及び第１外気排出用ダンパー４３ｂを開放させて外気をダウンフロー領域４に、０．５ｍ／秒〜１．０ｍ／秒程度の送り速度で内天井１２ｂから下方側に送り入れる（図１０、ステップＳ７）。
【０１３７】
これにより、ダウンフロー領域４にきた人の衣服や物品に空気をかけることができ、除菌ガス送出領域３で人の髪や衣服等に付着した除菌ガス成分が未だ残存している場合でも確実に払い落とすことができる。又、その際、外気をダウンフロー領域４に送り入れるため、除菌ガス成分等の臭いを確実に落とすことができる。
【０１３８】
更に、人がダウンフロー領域４を進んで仕切りドア５０の近くまでくると、制御部７は、人が仕切りドア５０の近くまできたとの判定をダウンフロー領域４における仕切りドア５０近傍に設置された第５検出センサ９４の検出に基づいて行う（図１０、ステップＳ８）。尚、ステップＳ８において、制御部７は、人が仕切りドア５０の近くにきていないとの判定をした場合は、来るのを待つ。
【０１３９】
そして、制御部７は、人が仕切りドア５０の近くにきたとの判定を行った場合、仕切りドア５０を開ける（図１０、ステップＳ９）。尚、ステップＳ９において、制御部７は、人が仕切りドア５０の近くにきていないとの判定をした場合は、来るのを待つ。
【０１４０】
この場合も、制御部７は、入口ドア１０ｃが閉まっていることを条件に仕切りドア５０をあける。これにより、入口ドア１０ｃ側から出口ドア１０ｄ側に空気が流れて区画室内の菌や花粉或いは区画室外の菌や花粉が出口ドア１０ｄ側に流れるおそれの少ないものにできる。
【０１４１】
又、仕切りドア５０が開いた状態では、出口仕切室５は、出口エアカーテン用ブロア５１等によってエアカーテンが形成されているため、ダウンフロー領域４から出口仕切室５に菌等が入り込むことが防止される。しかも、ダウンフロー領域４の室圧が出口仕切室５の室圧よりも低くなるように制御されているため、ダウンフロー領域４から出口仕切室５に空気が流れ込み難く、ダウンフロー領域４から出口仕切室５に菌等が入り込むことが確実に防止される。
【０１４２】
人が出口仕切室５に入ると、制御部７は、人が出口仕切室５に入ったとの判定を出口仕切室５に設置された第６検出センサ９５の検出に基づいて行う（図１０、ステップＳ１０）。尚、ステップＳ１０において、制御部７は、人が出口仕切室５に入っていないとの判定をした場合は、入って来るのを待つ。
【０１４３】
そして、制御部７は、人が出口仕切室５に入ってきたとの判定を行った場合、仕切りドア５０を閉める（図１０、ステップＳ１１）。
【０１４４】
又、制御部７は、仕切りドア５０を閉めた後、直ちに出口エアカーテン用ブロア５１を作動停止させるとともに、第２外気導入用ダンパー５３ａ及び第２排気用ダンパー５４ａに開信号を送信して開放させて出口仕切室５に外気を２ｍ／秒程度の風速で入れさせる（図１１、ステップＳ１２）。
【０１４５】
又、制御部７は、第２外気導入用ダンパー５３ａ及び第２排気用ダンパー５４ａに開信号を送信してから設定時間経過後（この実施形態では、２秒後）、第２外気導入用ダンパー５３ａ及び第２排気用ダンパー５４ａを閉めさせる（図１１、ステップＳ１３）。
【０１４６】
又、略同時に、制御部７は、出口エアカーテン用ブロア５１を作動開始させてエアカーテンを形成させるとともに、出口ドア１０ｄを開放させる（図１１、ステップＳ１３）。
【０１４７】
その際、出口ドア１０ｄが開放しても、エアカーテンによって出口仕切室５の空気が外に流れ難いものにできる。しかも、出口仕切室５の室圧が制限領域の室圧よりも低く設定されているため、出口仕切室５の空気がより一層、制限領域に流れ難いものにできる。従って、出口ドア１０ｄが制限領域の出入り箇所と隣接していても、出口仕切室５の空気が出入り箇所から制限領域内に入り込むおそれの少ないものにできる。
【０１４８】
その後、人が出口仕切室５から出て行くと、制御部７は、人が出口仕切室５から出たとの判定を第６検出センサ９５の人の不検出に基づいて行う（図１１、ステップＳ１４）。尚、ステップＳ１４において、制御部７は、人が出口仕切室５から出ていないとの判定をした場合は、出て行くのを待つ。又、制御部７は、出口エアカーテン用ブロア５１が作動開始した後は、出口仕切室圧検出センサ７６ａによる出口仕切室５の室圧情報が設定室圧範囲内にない状態になると、第１外気排出用ダンパー４３ｂに空気流量調整を行わせて設定室圧範囲に調整させる。
【０１４９】
そして、制御部７は、人が出口仕切室５から出ていったとの判定を行った場合、出口ドア１０ｄを閉める（図１１、ステップＳ１５）。
【０１５０】
次に、制限領域の出入り箇所から出る場合について説明する。制限領域の出入り箇所から出てきた人が退路入ドア１１ｅに近づくと、制御部７は、人が退路入ドア１１ｅの近くにきたとの判定を、退路入ドア１１ｅの外側に設置された第７検出センサ９６の検出に基づいて行う（図１２、ステップＳ２１）。尚、ステップＳ２１において、制御部７は、人が退路入ドア１１ｅの近くにきていないとの判定をした場合は、来るのを待つ。
【０１５１】
そして、制御部７は、人が退路入ドア１１ｅの近くにきたとの判定を行った場合、退路入ドア１１ｅを開ける（図１２、ステップＳ２２）。
【０１５２】
その後、人が退路入ドア１１ｅから退路室１０４に入ると、人が退路室１０４に入ったとの判定を、退路室１０４に設置された第８検出センサ９７の検出に基づいて行う（図１２、ステップＳ２３）。尚、ステップＳ２３において、制御部７は、人が退路室１０４に入っていないとの判定をした場合は、入ってくるのを待つ。
【０１５３】
そして、制御部７は、人が退路室１０４に入ったとの判定を行った場合、退路入ドア１１ｅを閉める（図１２、ステップＳ２４）。
【０１５４】
その後、人が退路室１０４を進んで退路用仕切りドア１０２に近づくと、制御部７は、人が退路用仕切りドア１０２の近くにきたとの判定を退路室１０４における退路用仕切りドア１０２の近傍に設置された第９検出センサ９８の検出に基づいて行う（図１２、ステップＳ２５）。尚、ステップＳ２５において、制御部７は、人が退路用仕切りドア１０２の近くにきていないとの判定をした場合は、来るのを待つ。
【０１５５】
そして、制御部７は、人が退路用仕切りドア１０２の近くにきたとの判定を行った場合、退路用仕切りドア１０２を開ける（図１２、ステップＳ２６）。この場合も、退路入ドア１１ｅが閉まっていることを条件に退路用仕切りドア１０２を開ける。
【０１５６】
その後、人が退路用エアカーテン室１０３に入ると、制御部７は、人が退路用エアカーテン室１０３に入ったとの判定を退路用エアカーテン室１０３に設置された第１０検出センサ９９の検出に基づいて行う（図１３、ステップＳ２７）。尚、ステップＳ２７において、制御部７は、人が退路用エアカーテン室１０３に入っていないとの判定をした場合は、入って来るのを待つ。
【０１５７】
そして、制御部７は、人が退路用エアカーテン室１０３に入ったとの判定を行った場合、退路用仕切りドア１０２を閉める（図１３、ステップＳ２８）。又、制御部７は、退路用仕切りドア１０２が閉まってから設定時間経過後（この実施形態では、２秒後）、退路出ドア１１ｆを開ける（図１３、ステップＳ２９）。
【０１５８】
その際、退路エアカーテン用空気送出ブロア１２１等によって退路用エアカーテン室１０３にエアカーテンが形成されているため、外部から菌や花粉が退路１ｂに入るようなことを防止できる。
【０１５９】
その後、人が退路用エアカーテン室１０３から出て行くと、制御部７は、人が退路用エアカーテン室１０３から出たとの判定を退路出ドア１１ｆの外側に設置された第１０検出センサ９９ａの検出に基づいて行う（図１３、ステップＳ３０）。尚、ステップＳ３０において、制御部７は、人が退路用エアカーテン室１０３から出ていないとの判定をした場合は、出るのを待つ。
【０１６０】
そして、制御部７は、人が退路用エアカーテン室１０３から出たとの判定を行った場合、退路出ドア１１ｆを閉める（図１３、ステップＳ３１）。
【０１６１】
尚、上記実施形態では、入路１ａと退路１ｂとは、直線状に形成されたが、この形態のものに限らず、適宜変更できる。例えば図１４に示すように、エアシャワー装置２００の入路２００ａにおけるダウンフロー領域２０４及び出口仕切室２０５を、除菌ガス送出領域２０３の側方側に配設することにより、入路２００ａを平面視でほぼ直角に折れ曲がった屈曲状のＬ字状に形成する。
【０１６２】
そして、退路２００ｂを、平面視において、その入路２００ａにおけるＬ状の内側に配設するようにしてもよい。このように形成すれば、エアシャワー装置２００の全体を先の実施形態のものよりも小型化でき、設置面積の小さいものにできる。
【０１６３】
又、この場合において、この図１４に示すように、退路２００ｂを平面視でほぼ直角に折れ曲がった屈曲状のＬ字状に形成し、平面視において、そのＬ字状の内側に、二酸化塩素ガス発生装置２０８を設置するようにしてもよく、これにより、より一層、設置面積の小さいものにできる。
【０１６４】
又、上記実施形態では、入口エアカーテン領域２と退路用エアカーテン室１０３とは互いに仕切られるように形成されたが、この形態のものに限らず、適宜変更できる。
【０１６５】
例えば図１４に示すように、入口エアカーテン領域２０２と退路用エアカーテン室３０３とは互いに連通するように形成されてもよい。さらには、入口エアカーテン領域２０２と退路用エアカーテン室３０３とが連通される場合には、１つのブロアで入口エアカーテン領域２０２と退路用エアカーテン室３０３とに同時にエアカーテンを形成するようにしてもよい。
【０１６６】
又、上記実施形態では、入口エアカーテン領域２と除菌ガス送出領域３との境界、及び除菌ガス送出領域３とダウンフロー領域４との境界に、仕切りドアが設けられていないが、それらの境界の一方又は両方に仕切りドアが設けられた形態のものであってもよく、適宜変更して実施できる。
【０１６７】
又、上記実施形態では、除菌ガス送出領域３は、除菌ガスと共に加圧空気が同時に送出されるように構成されているがこの形態のものに限らず、例えば除菌ガス送出領域３は、加圧空気が送出されないように構成されてもよく、適宜変更できる。
【０１６８】
又、除菌ガス送出領域３に、除菌ガスと共に加圧空気が送出される場合において、加圧空気が送出された後に除菌ガスが送出されるようにしても良い。
【０１６９】
又、除菌ガス送出領域３を、加圧空気が送出されるエアシャワー領域と、エアシャワー領域の出口ドア側に配設されて除菌ガスが送出される除菌ガス専用送出領域とに分けてもよく、適宜変更できる。
【符号の説明】
【０１７０】
１    エアシャワー装置
１ａ    入路
１ｂ    退路
２    入口エアカーテン領域
３    除菌ガス送出領域
４    ダウンフロー領域
５    出口仕切り室
７    制御部
８    二酸化塩素ガス発生装置（除菌ガス発生装置）
１０    区画室
【図１】
2014066467.tif 000003
【図２】
2014066467.tif 000004
【図３】
2014066467.tif 000005
【図４】
2014066467.tif 000006
【図５】
2014066467.tif 000007
【図６】
2014066467.tif 000008
【図７】
2014066467.tif 000009
【図８】
2014066467.tif 000010
【図９】
2014066467.tif 000011
【図１０】
2014066467.tif 000012
【図１１】
2014066467.tif 000013
【図１２】
2014066467.tif 000014
【図１３】
2014066467.tif 000015
【図１４】
2014066467.tif 000016